(57)【要約】【課題】  解決しようとする課題は、バックスイングで、どこまで左肩を捻転すればよいか、更に、インパクトで左への振り抜き時、右肩の捻転による到達位置はどこかなど、毎回、スイングの度に自分自身で分かる判定基準を創出することである。【解決手段】  本発明は、ゴルフウエアにおいて、左肩上の先端から袖の付け根の位置に、バックスイングで左肩の捻転による到達位置を確認するマーク１を取り付け又は左右いずれか一方を取り付け、  他方、右肩上の先端から袖の付け根の位置に、インパクトで右肩の捻転による到達位置を確認するマーク２を取り付け又は左右いずれか一方を取り付けたことを特徴とする両肩の到達位置確認マーク付きゴルフウエア。【選択図】図１
2008000378.tif 000002
【特許請求の範囲】
【請求項１】
ゴルフウエアにおいて、左肩上の先端から袖の付け根の位置に、バックスイングで左肩の捻転による到達位置を確認するマーク１を取り付け又は左右いずれか一方を取り付け、  他方、右肩上の先端から袖の付け根の位置に、インパクトで右肩の捻転による到達位置を確認するマーク２を取り付け又は左右いずれか一方を取り付けたことを特徴とする両肩の到達位置確認マーク付きゴルフウエア。
【請求項２】
ゴルフウエアにおいて、左右両肩上の、各々先端から袖の付け根の位置に、確認するマーク１・２を取り付け又は左右いずれか一方を取り付け、バックスイング及びインパクトにおける両肩の捻転により、眼と確認マーク１とボールの三つが一直線上に見えることを左肩の到達判定基準とし、他方、眼と確認するマーク２と元のボールの位置の三つが一直線上に見えることを右肩の到達判定基準とし、三つを結ぶ直線が到達判定基準線を現したことを特徴とする請求項１記載のゴルフウエア。
【発明の詳細な説明】
【技術分野】
【０００１】
本発明は、ゴルフのバックスイングで左肩捻転により左肩が必要な到達位置に達したかどうか、及び、インパクトで左への振り抜きによる右肩が必要な到達位置に達したかどうかを、プレーヤー自身が知るにはどうすればよいか、その判定基準づくりに関するものである。
【背景技術】
【０００２】
ゴルフのバックスイングにおいて、左肩を顎の下に入れるぐらい左肩を捻転する必要があるが、それが必要の到達位置に達したかどうかを判定する基準が分からない、又、インパクトでは右肩の捻転をどこまですればよいか、これを具体的に自分自身が判定する方策を施した実践用のゴルフウエアは無い。
「ゴルフの動きを習得するためのゴルフ用衣服」はあるがビデオ収録用で、動きを正確に捉える為にマーカを衣服の袖、肩や胸に数多く付けたもので、ゴルフコースでの使用には実用上不充分であった。
【０００３】
ゴルフプレーヤーは急に当りが悪くなった体験をするが、その原因の一つに左肩の捻転不足と軸が動くスエーがある、これを自分自身で分かる判定基準を待たなければ改善することは難しいものである。
【特許文献１】特表  ２００１−５１５７７４
【非特許文献１】SWINGの核心  内藤雄士  新星出版社
【発明の開示】
【発明が解決しようとする課題】
【０００４】
解決しようとする課題は、バックスイングで、どこまで左肩を捻転すればよいか、更に、インパクトで左への振り抜き時、右肩の捻転による到達位置はどこかなど、毎回、スイングの度に自分自身で分かる判定基準を創出することである。
【課題を解決するための手段】
【０００５】
ゴルフウエアの左肩上の先端から袖の付け根の位置に、バックスイングで左肩の捻転に必要な到達位置に達したことを確認するマークを取り付け又は左右いずれか一方に取り付けた。他方、ゴルフウエアの右肩上の先端から袖の付け根の位置に、インパクトで左への振り抜きによる右肩の捻転に必要な到達点を確認するマークを取り付け又は左右いずれか一方を取り付けた。これにより眼と確認マークとボール又は元のボールの位置の三つを結ぶ一直線が到達判定基準線を現した。
【発明の効果】
【０００６】
請求項１により、ゴルフウエアの左肩上の先端から袖の付け根の位置に、左肩が捻転に必要な到達位置に達したことを確認するマークを取り付け又は左右いずれか一方に取り付けたことにより、バックスイングで、眼と左肩の到達位置を示すマーク１とボールの三つが一直線上に見えるまで捻転して左肩が捻転に必要な到達位置に達したことが判定出来た。
更に、他方、ゴルフウエアの右肩上の先端から袖の付け根の位置に、左への振り抜きによる右肩の捻転に必要な到達位置を確認するマークを取り付け又は左右いずれか一方に取り付けたことにより、インパクトで、眼と右肩の到達位置を確認するマーク２と元のボールの位置の三つが一直線上に見えるようになり、右肩が捻転に必要な到達位置に達したことが判定出来た。
【０００７】
請求項２により、左右両肩が捻転で必要な到達位置に達したことを、眼と確認マークとボール又は元のボールの位置の三つが一直線上に見えることで到達判定出来たので判定基準とした。これを到達判定基準線４と命名した。
本発明の両肩の到達位置確認マーク付きゴルフウエアを着用すれば、練習場でも実践のゴルフコースでも常時スイングのチェツク、確認判定が出来る。
【発明を実施するための最良の形態】
【０００８】
以下本発明の実施の形態を示す図面に基づき説明する。
図１は本発明の実施例の前面を示す。
ゴルフウエア前面３の左肩上の先端から袖の付け根の位置に、バックスイングで左肩捻転による左肩の到達位置を確認するマーク１を取り付けたことを示すとともに、更に、右肩上の先端から袖の付け根の位置に、インパクトで振り抜き時、右肩の到達位置を確認するマーク２を取り付けたことを示す。
【０００９】
図２は本発明の実施例の動作（１・４・A）を示す。
本発明のゴルフウエアを着用し、左肩を捻転した状態で、眼と左肩の到達点位置を確認するマーク１とボールAの三つが一直線上に見えるまで捻転して左肩の到達位置に達したことを確認する到達判定基準線４を示す。
【００１０】
図３は本発明の実施例の動作（２・４・B）を示す。
本発明のゴルフウエアを着用し、振り抜きによる右肩の到達位置を示すマーク２が眼の下・顎の下に見えることを示す。一瞬ではあっても、インパクトで眼とマーク２と元のボールの位置Bの三つが一直線上に見え、確認する他方の到達判定基準線４を示す。      これは  ダウンスイングのインパクトで右肩が元の左肩のあったその位置に達して、肩が入れ替わったことを示す。
【００１１】
図４は、本発明の実施例の確認マークと標識Cの配置を示す。
ゴルフウエア前面３の左胸の位置に、両肩に確認マーク１及びマーク２が付いていることを示す標識Cを取り付けたことを示す。
【産業上の利用可能性】
【００１２】
初心者だけでなくスイングが分からなくなった体験の持ち主の方々に贈る一つの朗報である。本発明のゴルフウエアは両肩の捻転の成否の判定基準を現したのである。          本発明のゴルフウエアを着用すれば、練習場でも実践のゴルフコースでも常時スイングのチェツク、確認判定が出来る。  産業の発展に役立つとともに、ゴルフウエアメーカーがゴルファーに販売することが出来る。又ボールを真っ直ぐ飛ばす練習効果が期待されるゴルフ練習場の指導用途にも適用できる。
【実施例１】
【００１３】
次に本発明のゴルフウエアの使用状態を説明する。
本発明のゴルフウエアを着用し、両足を開いて構えの土台をしっかり固め、図２動作図（１・４・A）に示すように、バックスイングで眼（アイ）と左肩捻転による左肩の到達位置を確認するマーク1とボールが一直線上に見えるという判定基準により左肩が所定の到達位置に達したことが分かる。  これは、弓を引く時のように、正しい方向に左肩を最大限に捻転させて反発力を溜める為である。
【００１４】
更に、図３動作図（２・４・B）に示すように、インパクトで眼（アイ）と右肩の到達位置を確認するマーク２と元のボールの位置を一直線上に見て、クラブを一気に振り抜く。  即ち、振り抜いた時点で、最初置いたボールの位置に毎回マーク２が見えるので、スイングの芯がぶれずスエーしない振り抜きが体得される。
【００１５】
図２・図３動作図（１・４・A）、（２・４・B）に示すように、眼（アイ）とそれぞれマーク１・ ２とボール又は元のボールに位置とを一直線上にセットする。即ち、「アイセット」するのである。  又、この連続的な動きを表現すれば、眼とボール又は元のボールに位置との間にくるマーク１をマーク２に入れ替えてフニッシュするのである。
即ち、本発明を要約すれば、到達判定基準線４による「確認マークの入れ替え１（ワン）２（ツー）フニッシュ」と言える。
【実施例２】
【００１６】
本発明にかかる確認マーク１及び２のゴルフウエアへの取り付け位置は特に重要である。プレーヤーの体型、ウエアの形、デザインによりその位置は微妙に変わるので、具体的にプレーヤー自身が動作図（１・４・A）、（２・４・B）の動作を行ってみて、各マークの位置が一直線上に見えるように確認して決めた。即ち、自分に合う左右のマークの位置が合致するゴルフウエアを選んだ。
【実施例３】
【００１７】
本発明にかかる両肩の捻転到達位置を各々確認するマークは、プリント、張り付け、糸付け及び磁石、万能テープ、スナップなどの脱着可能な方法により取り付けた。また各々の取り付け位置にレールを敷き、マークを正しい位置に微調整して移動させる方法もある。  切り返し開始の青信号の役目も果たすので、マークの色は赤色、青色・緑色が自然でよいが、ウエアの色と混同しないならば鮮明な同色の濃淡でもよい。マークには美しいもの、かわいいもの、自然、商標、社章、各種模様をデザインして入れる。
【００１８】
マークの形はスイングに差し支えなければどんな形でもよいが、見やすいもの、１ミリ〜３ミリ程度の厚みがあるもので、ウエアに密着する平坦なものがよい。マークの大きさはスイングに邪魔にならない程度ならよいが、直径がおよそ１５〜２５ミリ程度の円形、四角形、三角形、楕円形、又は菱形を中心にデザインする。大きさを左右で変えてアクセントをつけた。
【００１９】
マークの材料は使用に耐えるものであればよいが、取り扱いや洗濯にも支障がない耐久性のあるものを選ぶ。プリント、刺繍、印刷、プラスチックス、金属、毛糸、木、石、磁器、陶器、布、糸、焼き物の単独又は組み合わせたもの。ゴルフウエア全体としてバランスのよい仕上がりに収め、好まれ着やすいものにする。材料は金、銀を除く落雷を防ぐ材料であることが必須条件である。
【００２０】
ウエアの色，柄、デザインにより、マークの色、形、大きさ、材料、取り付け方に工夫を凝らし、ウエア全体が落ち着いて上品で使い易く，気持ちによいものにデザインした。  
【実施例４】
【００２１】
ゴルフウエア前面３の左胸の位置に、両肩に確認マーク１及びマーク２が付いていることを示す標識Cを取り付けた。標識Cは確認マーク1・２と同じデザインにした。
【図面の簡単な説明】
【００２２】
【図１】本発明の実施例の前面図  （１・２・３  ）
【図２】本発明の実施例の動作図  （１・４・A  ）
【図３】本発明の実施例の動作図  （２・４・B  ）
【図４】本発明の実施例の確認マークと標識の配置図  （１・２・３・C ）
【符号の説明】
【００２３】
１：    バックスイングで左肩の捻転で必要な到達位置を確認するマーク１
２：    インパクトで右肩の捻転で必要な到達位置を確認するマーク２
３：    ゴルフウエア前面
４：    到達判定基準線４
Ａ：    ボール
Ｂ：    元のボールの位置
Ｃ：    両肩に各々の確認マークが付いていることを示す標識C
【図１】
2008000378.tif 000003
【図２】
2008000378.tif 000004
【図３】
2008000378.tif 000005
【図４】
2008000378.tif 000006